(57)【要約】【課題】ビスを廃止あるいは削減可能な基板固定構造を提供すること。【解決手段】基板４を、ケース前面１ａの内側に設けられた収容部１ｂにおいてケース前面１ａに略平行に沿わせた状態で固定手段によりケース１に固定した基板固定構造であって、基板４に固定された複数のエンコーダスイッチ３が、ケース前面１ａを貫通して設けられ、固定手段が、エンコーダスイッチ３のケース貫通部分に設けられ、エンコーダスイッチ３をケースに固定することで、エンコーダスイッチ３を介して基板４をケース１に固定させるスイッチ固定手段を備えている基板固定構造とした。【選択図】図１
2008124253.tif 000002
【特許請求の範囲】
【請求項１】
基板を、ケース前面の内側に設けられた収容部において前記ケース前面に略平行に沿わせた状態で固定手段によりケースに固定した基板固定構造であって、
前記基板に固定された複数のスイッチが、前記基板から突出されて前記ケース前面を貫通して設けられ、
前記固定手段が、前記スイッチのケース貫通部分に設けられ、前記スイッチをケースに固定することで、前記スイッチを介して前記基板をケースに固定させるスイッチ固定手段を備えていることを特徴とする基板固定構造。
【請求項２】
前記固定手段が、前記ケースに設けられ、前記基板をケース前面に沿ってスライドガイド可能であるとともに、前記基板の端縁部を挟持して前記基板がケースに対し前記スイッチの貫通方向に移動するのを規制するスライドガイドレールを備えていることを特徴とする請求項１に記載の基板固定構造。
【請求項３】
前記スイッチは、前記基板に固定されたスイッチ台座部に回動可能に支持された回動部材の回動に応じて信号を出力するスイッチであり、
前記回動部材が、前記収容部に配置されて、前記スイッチ台座部に回動可能に支持された回動基部と、前記ケース前面の外側に配置された回動先端部と、に分割可能であるとともに、この回動先端部と回動基部とを結合手段により結合可能に形成され、
前記スイッチ固定手段が、前記スイッチ台座部において前記貫通方向を軸心として形成された台座側ねじ部と、前記回動先端部の外周に相対回動可能に装着され、前記台座側ねじ部に噛み合い可能な先端側ねじ部が形成された支持部材と、この支持部材に、前記ケース前面に対して前記貫通方向に係合可能に形成された係合フランジと、を備えていることを特徴とする請求項１または請求項２に記載の基板固定構造。
【請求項４】
基板を、ケース前面内側の収容部において前記ケース前面に略平行に沿わせた状態で固定手段によりケースに固定した基板固定構造であって、
前記固定手段が、前記ケースに設けられ、前記基板をケース前面に沿ってスライドガイド可能であるとともに、前記基板の端縁部を挟持して前記基板がケースに対し前記スイッチの貫通方向に移動するのを規制するスライドガイドレールと、前記基板がスライドガイドレールに対してスライドするのを規制するスライド規制手段と、を備えていることを特徴とする基板固定構造。
【発明の詳細な説明】
【技術分野】
【０００１】
本発明は、基板を、ケースに収容した状態で固定する基板固定構造に関し、特に、自動車のインストルメントパネルに設置される空調装置のコントロールパネル部分に用いるのに好適な基板固定構造に関する。
【背景技術】
【０００２】
従来、自動車などにおいて、インストルメントパネルに空調装置のコントロールパネルが設けられ、 このコントロールパネルにおいて、スイッチの操作により信号を発生させたり、スイッチなどに設けられた表示部分を照明したりする電子部品が実装された基板が設けられているものが知られている（特許文献１参照）。
このような従来技術では、基板をケースに収容した状態でケースに対して複数のビスにより固定するのが一般的である。
【特許文献１】特開平１０−２７８５４９公報
【発明の開示】
【発明が解決しようとする課題】
【０００３】
しかしながら、上述のように基板を複数（例えば、１０個以上）のビスによりケースに固定する構造では、基板を固定する作業が面倒であり、また、重量も重くなるという問題点があった。
【０００４】
本発明は、上述のような従来の問題に着目して成されたもので、ビスを廃止あるいは削減可能な基板固定構造を提供することで、基板の固定作業の容易化、重量およびコストの低減を達成することを目的とする。
【課題を解決するための手段】
【０００５】
上述の目的を達成するために請求項１に記載の発明は、基板を、ケース前面の内側に設けられた収容部において前記ケース前面に略平行に沿わせた状態で固定手段によりケースに固定した基板固定構造であって、前記基板に固定された複数のスイッチが、前記基板から突出されて前記ケース前面を貫通して設けられ、前記固定手段が、前記スイッチのケース貫通部分に設けられ、前記スイッチをケースに固定することで、前記スイッチを介して前記基板をケースに固定させるスイッチ固定手段を備えていることを特徴とする基板固定構造とした。
また、請求項２に記載の発明は、請求項１に記載の基板固定構造において、前記固定手段が、前記ケースに設けられ、前記基板をケース前面に沿ってスライドガイド可能であるとともに、前記基板の端縁部を挟持して前記基板がケースに対し前記スイッチの貫通方向に移動するのを規制するスライドガイドレールを備えていることを特徴とする基板固定構造とした。
また、請求項３に記載の発明は、請求項１または請求項２に記載の基板固定構造において、前記スイッチは、前記基板に固定されたスイッチ台座部に回動可能に支持された回動部材の回動に応じて信号を出力するスイッチであり、前記回動部材が、前記収容部に配置されて、前記スイッチ台座部に回動可能に支持された回動基部と、前記ケース前面の外側に配置された回動先端部と、に分割可能であるとともに、この回動先端部と回動基部とを結合手段により結合可能に形成され、前記スイッチ固定手段が、前記スイッチ台座部において前記貫通方向を軸心として形成された台座側ねじ部と、前記回動先端部の外周に相対回動可能に装着され、前記台座側ねじ部に噛み合い可能な先端側ねじ部が形成された支持部材と、この支持部材に、前記ケース前面に対して前記貫通方向に係合可能に形成された係合フランジと、を備えていることを特徴とする基板固定構造とした。
【０００６】
また、上述の目的を達成するために、請求項４に記載の発明は、基板を、ケース前面内側の収容部において前記ケース前面に略平行に沿わせた状態で固定手段によりケースに固定した基板固定構造であって、前記固定手段が、前記ケースに設けられ、前記基板をケース前面に沿ってスライドガイド可能であるとともに、前記基板の端縁部を挟持して前記基板がケースに対し前記スイッチの貫通方向に移動するのを規制するスライドガイドレールと、前記基板がスライドガイドレールに対してスライドするのを規制するスライド規制手段と、を備えていることを特徴とする基板固定構造とした。
【発明の効果】
【０００７】
本発明の車両用空調装置では、基板に固定された複数のスイッチを、ケース前面に貫通させた状態で、基板をケースに収容し、このスイッチのケース貫通部分に設けられたスイッチ固定手段によりスイッチをケースに固定させる。このスイッチは、基板に固定されているため、基板がケースに固定される。
このように、本発明では、スイッチを利用して基板をケースに固定するようにしたため、基板をケースに固定するビスを廃止あるいは削減できる。
このビス止めを廃止あるいは削減した分だけ、固定作業の簡略化、重量およびコストの低減を達成できる。
【０００８】
請求項２に記載の発明では、基板の固定時には、基板をケースのスライドガイドレールに沿ってスライドさせて基板をケース前面に沿わせ、収容部の所定位置に配置させる。そして、上述のように、スイッチの貫通部分をスイッチ固定手段により固定させることで、基板をケースに固定する。
この状態では、基板の端縁部がスライドガイドレールに挟持されており、スイッチの貫通方向への移動が規制されている。
このように、基板の端縁部をスライドガイドレールで挟持することで、基板の位置決めが容易となるとともに、スイッチ固定手段のみによりケースの固定を行うのに比べて、スイッチ固定手段による負担を軽減して、耐久性向上ならびに軽量・小型化を図ることができる。
【０００９】
請求項３に記載の発明では、基板を固定する場合、あらかじめ、スイッチの回動部材を、回動基部と回動先端部とに分割しておき、その分割状態で、基板を、ケースの収容部の所定の位置に配置させる。
次に、回動先端部と回動基部とを結合手段により結合状態とし、かつ、回動先端部に装着された支持部材の先端側ねじ部とスイッチ台座部の台座側ねじ部とを噛み合わせる。
この噛み合いにより、支持部材は基板に固定されたスイッチ台座部に対して、回動部材の軸方向に変位し、係合フランジをケース前面に軸方向で係合させるとともに、圧接させる。これにより、基板がケースに固定される。
このように、請求項３に記載の発明では、スイッチの回動部材を、ケース前面内側の収容部に配置される回動基部と、ケース前面の外側の回動先端部と、に分割可能としたため、基板をケースの収容部に配置させる際に、スイッチのケース貫通部分がケースと干渉するのを防止することができ、作業性に優れる。特に、基板を、請求項２に記載の発明のようにスライドガイドレールに沿ってスライドさせる構造では、スイッチがケースと干渉するのを防止する長穴などをケースに形成することが不要であり、ケースにこのような干渉防止用の形状を形成するものと比較して、ケースの外観品質を高めることができる。
【００１０】
請求項４に記載の発明では、基板の固定時には、基板を、ケースに形成されたスライドガイドレールに挟持させた状態でスライドさせて所定の位置に配置させ、その後、固定手段により基板をケースに対してスライド不能に固定する。
このように、請求項４に記載の発明では、基板をスライドガイドレールにより挟持し、かつ、固定手段によりこのスライド方向の移動を規制するようにしたため、ビス止めを廃しあるいは削減でき、 このビス止めを廃止あるいは削減した分だけ、固定作業の簡略化、重量およびコストの低減を達成できる。
しかも、基板をスライドガイドレールにより挟持しているため、固定手段による負担を軽減して、固定手段の負担を軽減して、耐久性向上ならびに軽量・小型化を図ることができる。
【発明を実施するための最良の形態】
【００１１】
以下、本発明の実施の形態を図面に基づいて説明する。
この実施の形態の基板固定構造は、基板（４）を、ケース前面（１ａ）の内側に設けられた収容部（１ｂ）において前記ケース前面（１ａ）に略平行に沿わせた状態で固定手段によりケース（１）に固定した基板固定構造であって、前記基板（４）に固定された複数のスイッチ（３）が、前記基板（４）から突出されて前記ケース前面（１ａ）を貫通して設けられ、前記固定手段が、前記スイッチ（３）のケース貫通部分に設けられ、前記スイッチ（３）をケース（１）に固定することで、前記スイッチ（３）を介して前記基板（４）をケース（１）に固定させるスイッチ固定手段（３２ｂ，３８ｊ）を備えていることを特徴とする基板固定構造である。
【実施例１】
【００１２】
以下に、図１〜図６に基づいて、この発明の最良の実施の形態の実施例１の基板固定構造について説明する。
【００１３】
この実施例１の基板固定構造を説明するのにあたり、図外の車両用空気調和装置の操作パネルＣＰに適用した例を示す。
この操作パネルＣＰは、ケース１のケース前面１ａを図外の車室に露出させた状態でインストルメントパネル（図示省略）に取り付けられるもので、ケース前面１ａに露出して複数のプッシュスイッチ２の操作用の操作ボタン２ｂが設けられているとともに、ケース１の４隅には、４つのエンコーダスイッチ３が、設置時に車室に露出するように矢印ＲＭの方向へ突出して設けられている。
【００１４】
ケース１は、ケース前面１ａの内側に収容部１ｂを囲む立方体の箱状に形成され、かつ、側面の一側に収容部１ｂを外部と連通させる開口１ｃが設けられている。
また、ケース前面１ａの４隅の近傍には、後述のエンコーダスイッチ３の操作軸３１を貫通させる貫通穴１ｄが開口されている。
さらに、ケース１の幅方向（図において矢印Ｗ方向）両側に立設されている側壁１ｅにおいて、収容部１ｂ側の内側面には、ケース前面１ａと略平行に沿わせて、スライドガイドレール１１が一体に形成されている。
このスライドガイドレール１１は、スライド溝１１ａを挟んで２枚の挟持片１１ｂ，１１ｂが対向されている。
【００１５】
ケース１の収容部１ｂには、基板４が収容されている。
この基板４は、樹脂製（例えば、ＰＰ材、ＧＥ材、ＣＰＥ、ＣＧＥなど）の板材により図示のように略長方形に形成され、前述したプッシュスイッチ２およびエンコーダスイッチ３や、図示を省略した集積回路、抵抗器、コンデンサなどの電子部品が実装され、かつ、その部品間を接続して電子回路を構成する配線が形成されている。
【００１６】
そして、基板４は、その幅方向（矢印Ｗ方向）の両端部がスライドガイドレール１１のスライド溝１１ａに差し込まれて挟持されて矢印ＲＭ方向への移動を規制された状態で、図において矢印ＳＬの方向にスライド可能に支持されている。
【００１７】
基板４には、実装されているエンコーダスイッチ３は、基板４に固定されたスイッチ台座部３２と、このスイッチ台座部３２に回動可能に支持された操作軸（回動部材の回動先端部）３１と、を備えている。
【００１８】
スイッチ台座部３２は、図２に示すように、略直方体のハウジング部３２ａと、このハウジング部３２ａの上面に立設され、外周には、雄ねじ状の台座側ねじ部３２ｂが形成された円筒状の締結用内筒３２ｃと、ハウジング部３２ａの側面から下方に向けて突出された３対の脚状の端子３２ｄおよび１対のばね状のばね脚３２ｅと、を備えている。
なお、端子３２ｄは、図３に示すように、基板４を貫通して先端を折り曲げて基板裏面４ｂに係合させた状態で、基板４に設けられた図示を省略した配線にはんだ付けされている。
また、ばね脚３２ｅは、金属板製のもので、図示の実装状態で、その先端が基板表面４ａに当接され、スイッチ台座部３２において、矢印Ｐ方向に入力される荷重を弾性的に受け止める機能を有している。
【００１９】
スイッチ台座部３２の内部には、収容孔３３が形成されている。この収容孔３３は、図示のように、同軸で底面側から順に最も大径の大径部３３ａと、この大径部３３ａに連続して形成され、大径部３３ａよりも小径に形成された小径部３３ｂと、この小径部３３ｂに連続して形成され、締結用内筒３２ｃの内周壁部分で形成される最も小径の挿入口３３ｃにより３段に形成されている。
【００２０】
また、大径部３３ａの底面には、端子３２ｄに接続された接点３６が配設されている。
【００２１】
収容孔３３の大径部３３ａおよび小径部３３ｂに跨って、内蔵回動部材（回動部材の回動基部）３４が回動可能に収容されている。
【００２２】
この内蔵回動部材３４と操作軸３１とがエンコーダスイッチ３の回動する部分であり、後述した組付状態で、操作軸３１と内蔵回動部材３４とが一体的に回動する。また、このエンコーダスイッチ３は、後述するプッシュスイッチ機能を有しており、操作軸３１に入力されたプッシュ操作を吸収するために、操作軸３１と内蔵回動部材３４とは、軸方向に相対移動可能に分割されている。
この内蔵回動部材３４は、図４（ａ）に示すように、円錐筒状の筒部３４ａと、この筒部３４ａの小径側の端部を塞いで設けられた蓋部３４ｂと、筒部３４ａのもう一方の端部において、拡径方向に拡がって形成された環状のフランジ部３４ｃと、により略ハット状に形成されている。
【００２３】
蓋部３４ｂには、円形の開口３４ｄと、この開口３４ｄに連続して形成され、軸心を中心とした対称位置において外径方向に延在されたれた一対の係止溝３４ｅ，３４ｅと、が形成されている。
フランジ部３４ｃの上面側には、スイッチ台座部３２の大径部３３ａに側面に接してクリック感を与える、凸凹の突起と溝とを周方向に交互に並べたクリック用凹凸部３４ｆが形成されている。
また、フランジ部３４ｃの裏面には、図４（ｂ）に示すように円環状であり、所定間隔で外径方向に延びる凸部を有した電極３５が設けられている。
すなわち、内蔵回動部材３４のフランジ部３４ｃは、図３に示すように、スイッチ台座部３２の大径部３３ａに収容され、内蔵回動部材３４が回動した際には、電極３５の凸部と接点３６との接続状態が切り換わることで回動角に応じたパルス信号が出力される。以下、このパルス出力をエンコーダ出力という。
【００２４】
また、収容孔３３の底面軸心位置にプッシュスイッチ３７が設けられており、操作軸３１は、エンコーダ出力とこのプッシュスイッチ３７によるＯＮ／ＯＦＦ出力の操作を行う。
【００２５】
操作軸３１は、軸本体３１ａと、軸本体３１ａの基端部に設けられた一対の係合片３１ｂ，３１ｂと、軸本体３１ａの先端部に設けられた係合受部３１ｃとを備えている。
軸本体３１ａは、内蔵回動部材３４の蓋部３４ｂの開口３４ｄに差し込み可能な外径寸法に形成されている。
【００２６】
係合片３１ｂは、係止溝３４ｅとで、操作軸３１と内蔵回動部材３４とを結合させる結合手段を構成する。すなわち、係合片３１ｂは、軸本体３１ａから外径方向に突出された板状のもので、図５に示すように、軸本体３１ａの軸心を挟んで対称に配置されており、軸本体３１ａを内蔵回動部材３４の蓋部３４ｂの開口３４ｄに差し込んだ際に、一対の係止溝３４ｅ，３４ｅに差し込まれた結合状態となる。この結合状態では、操作軸３１が内蔵回動部材３４と軸方向には相対移動可能であるが、周方向には係合して一体的に回動する。
なお、係合片３１ｂの軸方向の寸法は、操作軸３１をプッシュスイッチ３７の操作代分だけ軸方向に移動させても、上記の係止溝３４ｅとの係合状態を維持できる寸法に形成されている。
【００２７】
係合受部３１ｃは、図外の操作用ノブを係合させるものであり、図２に示すように、軸心に沿って係合溝３１ｄが形成され、外周には、摺動抵抗を高めるギザギザ状の加工が施されている。
【００２８】
操作軸３１の軸本体３１ａの外周には、締結用内筒３２ｃとで固定手段を構成する締結用外筒部材３８が装着されている。
この締結用外筒部材３８は、図２および図３に示すように、筒状の本体３８ａを備え、かつ、この本体３８ａの、中間部に係合フランジ３８ｂおよび仕切壁３８ｃが一体に形成され、上端部には、挿通穴３８ｄが開口されている。
【００２９】
本体３８ａは、係合フランジ３８ｂを挟み円筒状の基端部３８ｅと、円錐状に傾斜した先端部３８ｆと、を備えており、基端部３８ｅは、ケース１の貫通穴１ｄに差し込み可能な外径寸法に形成されている。
また、先端部３８ｆの先端に形成された挿通穴３８ｄは、操作軸３１の軸本体３１ａおよび係合片３１ｂを挿通可能な内径寸法の円形状に形成されている（図６（ａ）参照）。
仕切壁３８ｃには、図６（ｂ）に示すように、軸挿通穴３８ｇと係止片挿通穴３８ｈとが開口されている。
軸挿通穴３８ｇは、操作軸３１の軸本体を挿通可能な内径の円形に形成されている。
係止片挿通穴３８ｈは、係合片３１ｂを挿通可能な寸法に形成されている。
【００３０】
係合フランジ３８ｂは、本体３８ａの基端部３８ｅをケース１の貫通穴１ｄに差し込んだときに、貫通穴１ｄの外周縁部と差込方向に係合可能な外径寸法に形成されている。
基端部３８ｅの内周には、台座側ねじ部３２ｂと噛み合い可能な雌ねじ状の先端側ねじ部３８ｊが形成されている。
この先端側ねじ部３８ｊは、スイッチ台座部３２の台座側ねじ部３２ｂと噛み合わせることが可能に形成されており、両者を噛み合わせて回動させた際には、締結用外筒部材３８がスイッチ台座部３２に対して軸方向に変位するよう構成されている。
【００３１】
次に、実施例１の作用を説明する。
本実施例１操作パネルＣＰを組み付ける場合には、あらかじめ、エンコーダスイッチ３の操作軸３１および締結用外筒部材３８を、図１に示すように、スイッチ台座部３２から取り外した状態の基板４をケース１の収容部１ｂに差し込む。この際、基板４の幅方向両端縁部をスライドガイドレール１１のスライド溝１１ａに差し込み、基板４を、ケース前面１ａと略平行にスライドガイドレール１１に沿ってスライドさせ、そのスイッチ台座部３２の締結用内筒３２ｃとケース１の貫通穴１ｄとが略同軸となる位置に配置する。
【００３２】
次に、ケース前面１ａ側から、締結用外筒部材３８の基端部３８ｅを貫通穴１ｄに差し込み、この締結用外筒部材３８を、その軸心を中心に回動させながら、基端部３８ｅに形成された先端側ねじ部３８ｊと、スイッチ台座部３２の締結用内筒３２ｃに形成された台座側ねじ部３２ｂとを噛み合わせる。
これにより、締結用外筒部材３８は、回動しながら締結用内筒３２ｃに対して軸方向に変位し、係合フランジ３８ｂが、ケース前面１ａに軸方向で係合されるとともに、圧接され、基板４がケース１に固定される。
【００３３】
すなわち、基板４は、その幅方向両端部が、ケース１のスライドガイドレール１１の挟持片１１ｂ，１１ｂに挟持され、ケース１に対して矢印ＲＭ方向である車室方向およびその逆方向へ相対変位するのが規制されている。
この状態で、締結用外筒部材３８が軸方向に移動して係合フランジ３８ｃと基板４との軸方向距離が狭まると、ケース１は、係合フランジ３８ｃと、スライドガイドレール１１の挟持片１１ｂの位置の基板４と、の間に強く挟まれる。これにより、基板４がケース１に対して矢印Ｗ方向である幅方向および矢印ＳＬ方向であるスライド方向に移動するのが規制される。
【００３４】
また、上述の締結用外筒部材３８と締結用内筒３２ｃとの締結を行った後、あるいは行う前に、エンコーダスイッチ３の操作軸３１を、スイッチ台座部３２の収容孔３３に収容されている内蔵回動部材３４に結合させる。
この結合は、操作軸３１の軸本体３１ａから突設されている係合片３１ｂを、内蔵回動部材３４の蓋部３４ｂに開口されている係止溝３４ｅに挿通させるとともに、軸本体３１ａを開口３４ｄに挿通させるように差し込むことで成される。
【００３５】
この結合状態では、係合片３１ｂが係止溝３４ｅに周方向に係合するため、操作軸３１を回動操作した場合には、操作軸３１と内蔵回動部材３４とが一体的に回動して、エンコーダ出力がなされる。
また、操作軸３１を押し込むプッシュ操作を行った場合には、操作軸３１が、内蔵回動部材３４およびスイッチ台座部３２に対して軸方向の矢印ＲＭとは逆方向に相対移動し、プッシュスイッチ３７のＯＮ／ＯＦＦを切り替えることができる。
【００３６】
以上説明したように、実施例１では、基板４をケース１に固定するのにあたり、従来のビスを廃止して、基板４の両端縁部をケース１のスライドガイドレール１１に差し込み、ケース前面１ａを貫通するエンコーダスイッチ３を利用して基板４がスライドガイドレール１１に対して相対移動するのを規制することで、ケース１に対して基板４を固定するようにした。
したがって、基板４の固定作業としては、基板４をスライドさせる作業と、分割したエンコーダスイッチ３を結合させる作業となり、複数のビス止め作業を実行するのに比べ、作業の簡略化を図ることができるとともに、重量およびコストの低減を図ることが可能となる。
しかも、上述のように、ケース１に対する基板４の固定は、スライドガイドレール１１と、締結用内筒３２ｃおよび締結用外筒部材３８との締結と、で行うようにしている。したがって、この基板４へ入力される荷重のうちで特に大きな荷重であるエンコーダスイッチ３のプッシュスイッチ３７への操作力による荷重は、スライドガイドレール１１により支持される。このため、締結部分のみで固定するのに比べて、基板４の固定強度の確保が容易であり、締結部分による負担を軽減して、この締結構造部分の小型化を図ることができるとともに、強度および耐久性を確保することができる。
【００３７】
さらに、基板４をスライドガイドレール１１で挟持するようにしているため、締結部分のみで基板４の位置決めを行うのと比較して、基板４の位置決めが容易であり、組付作業性に優れる。
【００３８】
また、エンコーダスイッチ３の操作軸３１への入力が、スイッチ台座部３２へ入力される場合があり得るが、スイッチ台座部３２の端子３２ｄと基板４とのはんだ部分の剥離が生じにくくなっている。
すなわち、端子３２ｄは、基板４に貫通させ、さらに、端子３２ｄの先端を基板４に沿って折曲させた状態ではんだ付けして固定するようにしている。また、スイッチ台座部３２の下面を、ばね脚３２ｅで支持している。このため、スイッチ台座部３２への入力において、図３の矢印Ｐ方向の入力は、ばね脚３２ｅにより基板４に伝達され、端子３２ｄのはんだの剥離が生じにくい。また、この矢印Ｐ方向を除く方向の入力は、端子３２ｄにおいて基板４を貫通した部分、ならびに折曲部分を介して、はんだ部分を介することなく基板４に伝達され、はんだ部分の剥離が生じ難い。
このように、基板４の水平方向、矢印Ｐ方向およびその逆方向の全ての方向で、はんだ部分の剥離が生じにくくなっている。
【００３９】
また、実施例１では、エンコーダスイッチ３を、ケース前面１ａの外側の操作軸３１と、ケース前面１ａの内側のスイッチ台座部３２内の内蔵回動部材３４とに分割したため、基板４をケース１に対してスライドガイドレール１１によりスライドさせる場合に、両者３１，３４を分割しておくことで、エンコーダスイッチ３がケース１と干渉することがない。したがって、ケース１にエンコーダスイッチ３との干渉を防止する長穴などを形成する構造と比較して、安価に外観品質を高めることができ、かつ、この分割構造を利用して、基板４のケース１への固定を行うようにしているため、別途、基板４の固定を行う部材を追加設定するのに比べて、製造コストを低減できる。
【００４０】
以上、図面を参照して、本発明の実施の形態および実施例１について詳述してきたが、具体的な構成は、この実施の形態および実施例１に限らず、本発明の要旨を逸脱しない程度の設計的変更は、本発明に含まれる。
【００４１】
すなわち、実施例１では、基板固定構造として、車両用空気調和装置の操作パネルＣＰに適用した例を示したが、基板をケースに固定したものであれば、その適用範囲はこれに限定されない。例えば、車両以外の産業機器や家電その他の電気機器などにも適用することができる。
【００４２】
また、実施例１では、基板を固定するケースとして、箱状に形成したケース１を示したが、本発明に用いるケースとしては、基板をスライド可能に支持するスライドガイドレールが形成され、かつ、基板を固定することができるものであれば、その形状は、実施例１で示した箱状以外の形状であってもよい。例えば、図７に示すように、実施例１で用いたケース１を上下に分割したようなケース７０１を用いてもよい。このケース７０１は、ケース全面７０１ａと側壁７０１ｅ，７０１１ｅとにより断面が逆凹形状を成し、各側壁７０１ｅ，７０１ｅにスライドガイドレール７１１が形成されている。
【００４３】
また、実施例１では、スイッチ固定手段として、台座側ねじ部３２ｂと先端側ねじ部３８ｊとを噛み合わせる手段を示したが、このようなねじを用いる以外の手段を用いてもよい。例えば、係合フランジ３８ｂをケース前面１ａに圧接させた状態で、締結用外筒部材３８側に形成した係合爪を、スイッチ台座部３２側に形成した係合穴に係合させ、これにより基板４がケース１に固定するようにしてもよい。
さらに、このスイッチ固定手段として、ねじ構造を用いる場合でも、締結用外筒部材３８側の台座側ねじ部３２ｂと、スイッチ台座部３２側の先端側ねじ部３８ｊと、の雄雌の関係を逆に形成してもよい。
【００４４】
また、実施例１では、スイッチとして、回動軸を有したエンコーダスイッチ３を示したが、このスイッチとしては、ケースを貫通するものであれば、エンコーダスイッチに限定されない。この場合、回動軸を有したエンコーダスイッチ以外の切替スイッチなどを用いることができる他にも、回動軸を持たないＯＮ／ＯＦＦスイッチなどを用いてもよい。
【００４５】
また、実施例１では、基板４をスライドガイドレール１１により挟持するようにした例を示したが、請求項１に記載の発明では、スライドガイドレール１１を用いない構造としてもよい。すなわち、基板４あるいはスイッチ台座部３２に、ケース１に対する基板４の位置決めを行う手段があれば、スライドガイドレール１１を設けなくてもよい。例えば、基板４に、位置決め用の突起を複数（例えば、４個）設け、この突起の先端面にケース裏面を当接させて、基板の位置決めを行い、この状態で、締結用外筒部材３８と、締結用内筒３２ｃとの締結などの固定を行うようにしてもよい。あるいは、この基板４に設ける突起として、スイッチ台座部３２の上面を位置決め面とし、この上面にケース前面１ａの裏側面を当接させて位置決めを行うようにしてもよい。
【００４６】
また、請求項４に記載の発明では、ケース１にスライドガイドレール１１を形成し、このスライドガイドレール１１により基板４を挟持するようにしていれば、基板４がスライドガイドレール１１に対して移動するのを規制する手段は、実施例１で示した、エンコーダスイッチ３の締結部分以外の構成を用いてもよい。
例えば、図８に示すように、基板８０４をスライドガイドレール８１１のスライド溝８１１ｂに対してスライドさせて、所定位置に達したら、基板８０４に形成された係合穴８０４ａにスライドガイドレール８１１の挟持片８１１ａにおいてスライド溝８１１ｂに突出させて設けた係合ばね片８１１ｃが係合して、基板８０４の位置決めならびにスライド規制を行うようにしてもよい。
この場合、基板８０４には、エンコーダスイッチ３のように、ケースを貫通するスイッチを設けないものにも適用することができる。
このような構成であっても、ビス止めを廃しあるいは削減でき、その分、固定作業の簡略化を図ることができるとともに、重量およびコストの低減を図ることが可能となる。
【図面の簡単な説明】
【００４７】
【図１】本発明の最良の実施の形態である実施例１の基板固定構造を適用した操作パネルＣＰを示す分解斜視図である。
【図２】実施例１の基板固定構造に用いたエンコーダスイッチ３を示す分解斜視図である。
【図３】実施例１の基板固定構造に用いたエンコーダスイッチ３を示す縦断面図である。
【図４】実施例１の基板固定構造における回動部材の回動基部としての内蔵回動部材を示す図であって、（ａ）は斜視図、（ｂ）は底面図である。
【図５】実施例１の基板固定構造における回動部材の回動先端部としての操作軸３１の底面図である。
【図６】実施例１の基板固定構造における固定手段を構成する締結用外筒部材３８を示す図であって、（ａ）は平面図、（ｂ）は底面図である。
【図７】本発明の実施の形態の他の実施例の要部を示す正面図である。
【図８】本発明の実施の形態の他の実施例の要部を示す断面図である。
【符号の説明】
【００４８】
１     ケース
１ａ   ケース前面
１ｂ   収容部
３     エンコーダスイッチ
４     基板
１１   スライドガイドレール
１１ａ スライド溝
１１ｂ 挟持片
３１   操作軸（回動部材：回動先端部）
３１ｂ 係合片（結合手段）
３２   スイッチ台座部
３２ｂ 台座側ねじ部（スイッチ固定手段）
３４   内蔵回動部材（回動部材：回動基部）
３４ｄ 開口（結合手段）
３４ｅ 係止溝（結合手段）
３８   締結用外筒部材（スイッチ固定手段：支持部材）
３８ｂ 係合フランジ
３８ｊ 先端側ねじ部
【図１】
2008124253.tif 000003
【図２】
2008124253.tif 000004
【図３】
2008124253.tif 000005
【図４】
2008124253.tif 000006
【図５】
2008124253.tif 000007
【図６】
2008124253.tif 000008
【図７】
2008124253.tif 000009
【図８】
2008124253.tif 000010